(57)【要約】  加入者側装置および局側装置で使用されている上り光信号および下り光信号の波長を変更することなく、両装置間の延伸化を可能とするポイント−マルチポイント光通信システムを得る。１台の局側装置１と複数ｎ台の加入者側装置４とを接続する光ネットワークを基本構成として、ｍ個の基本構成に対して１台の局側波長合分波器２２、１本の光ファイバ伝送路３０、および１台の加入者側波長合分波器１２による共有化を図ったポイント−マルチポイント光通信システムであって、１台の波長合分波器２２、１２とｍ個の波長変換装置２１、１１で構成される局側中継部２０および加入者側中継部１０を備え、局側装置１と局側中継部２０との間および加入者側装置４と加入者側中継部１０との間は、現状の波長の光信号を使用し、光ファイバ伝送路３０を介した波長合分波器１２、２２間は、延伸化可能な波長多重光信号を使用する。
2009011053.tif 000002
【特許請求の範囲】
【請求項１】
局側波長合分波器、光ファイバ伝送路、および加入者側波長合分波器を介した光ネットワークにより１台の局側装置と複数ｎ（ｎは、２以上の整数）台の加入者側装置とが接続され、前記１台の局側装置および前記複数ｎ台の加入者側装置のそれぞれが時分割多重または波長多重にて光信号を前記光ネットワークに出力する光通信システムを基本構成として、ｍ（ｍは、２以上の整数）台の局側装置に対応してそれぞれ複数ｎ1〜ｎm（ｎ1〜ｎmは、２以上の整数）台の加入者側装置が接続されたｍ個の基本構成を適用し、かつ、前記ｍ個の基本構成に対して１台の局側波長合分波器、１本の光ファイバ伝送路、および１台の加入者側波長合分波器による共有化を図ったポイント−マルチポイント光通信システムであって、
前記ｎ1〜ｎm台の加入者側装置と前記加入者側波長合分波器との間にそれぞれの基本構成ごとに設けられ、前記ｎ1〜ｎm台の加入者側装置に共通に割り付けられた第１の波長を有する上り光信号を、基本構成ごとにあらかじめ割り当てられた波長を有する上り光信号に波長変換するとともに、前記加入者側波長合分波器により抽出された基本構成ごとにあらかじめ割り当てられた波長を有する下り光信号を、前記ｎ1〜ｎm台の加入者側装置に共通に割り付けられた第２の波長を有する下り光信号に波長変換するｍ台の加入者側波長変換装置と、
前記ｍ台の局側装置と前記局側波長合分波器との間にそれぞれの基本構成ごとに設けられ、前記局側波長合分波器により抽出された基本構成ごとにあらかじめ割り当てられた波長を有する上り光信号を、前記第１の波長を有する上り光信号に波長変換するとともに、前記第２の波長を有する下り光信号を、基本構成ごとにあらかじめ割り当てられた波長を有する下り光信号に波長変換するｍ台の局側波長変換装置と
をさらに備えるポイント−マルチポイント光通信システム。
【請求項２】
請求項１に記載のポイント−マルチポイント光通信システムにおいて、
前記ｍ台の加入者側波長変換装置のそれぞれは、下り光信号を波長変換する際に、前記下り光信号に含まれる加入者側装置ごとの位相情報を検出し、上り光信号を波長変調する際に、検出した前記位相情報に基づいて前記上り光信号に含まれる加入者側装置ごとの上り光信号の位相を最適化する位相抽出回路をさらに備えるポイント−マルチポイント光通信システム。
【発明の詳細な説明】
【技術分野】
【０００１】
本発明は、局側装置と複数の加入者装置とが１つの光ネットワークを用いてデータ送受信を行うポイント−マルチポイント光通信システムに関し、特に、長距離化、大容量化を実現するポイント−マルチポイント光通信システムに関する。
【背景技術】
【０００２】
ポイント−マルチポイント光通信システムの一形態として、局側装置と加入者側装置との間に再生中継装置、波長変換装置を配置することで、伝送距離を長延化することが検討されている。また、複数のポイント−マルチポイント光通信システムを波長多重技術により多重化して、光ファイバ伝送線路の共有効率を高めることが検討されている（例えば、特許文献１参照）。【０００３】
従来の構成では、加入者側装置サイドには、局側装置と複数の加入者装置との中間に一台の波長変換装置、および波長の合分波を行うＭＵＸ（Ｍｕｌｔｉｐｌｅｘｅｒ）／ＤＥＭＵＸ（Ｄｅｍｕｌｔｉｐｌｅｘｅｒ）装置が配置されている。また、局側装置サイドには、波長の合分波を行うＭＵＸ／ＤＥＭＵＸ装置が配置されている。【０００４】
このようなシステム構成において、複数の加入者側装置から送信された波長１．３μｍの上り光信号は、局側装置と複数の加入者装置との中間に配置された波長変換装置により再生中継される。【０００５】
より具体的には、次のような一連の処理により、上り光信号は、再生中継されることとなる。まず始めに、上り光信号は、受光素子により電気信号へ光電気変換される。次に、光電気変換された電気信号は、２Ｒ機能または３Ｒ機能を有する受信回路により電気再生される。さらに、電気再生された信号は、駆動回路と発光素子により再び光信号へと電気光変換される。【０００６】
また、再生中継されると同時に、波長１．３μｍから波長λｉへと波長変換が行われる。そして、加入者側のＭＵＸ／ＤＥＭＵＸ装置において波長多重を行うことにより、延伸化区間において波長多重技術（ＷＤＭ：Ｗａｖｅｌｅｎｇｔｈ  Ｄｉｖｉｓｉｏｎ  Ｍｕｌｔｉｐｌｅｘｉｎｇ）を用いた波長多重伝送を実現している。【０００７】
また、局側装置サイドにおいては、局側装置サイドに配置されたＭＵＸ／ＤＥＭＵＸ装置において波長分離を行うことで、波長λｉを抜き取り、ｉ番目の局側装置にて受信される。【０００８】
逆に、ｉ番目の局側装置から送信された波長λｉの下り光信号は、局側装置サイドに配置されたＭＵＸ／ＤＥＭＵＸ装置にて波長多重されることにより、延伸化区間において波長多重技術を用いた波長多重伝送を実現する。【０００９】
また、局側装置と複数の加入者装置との中間に配置された加入者側のＭＵＸ／ＤＥＭＵＸ装置は、上り光信号と同様にして、波長多重光信号からｉ番目の波長λｉを分離して抽出する。さらに、波長変換装置は、抽出された波長λｉのそれぞれの光信号を、光電気変換、再生中継、電気光変換すると同時に、波長λｉから波長１．３μｍへ波長変換する。そして、最終的に、複数の加入者側装置のそれぞれは、波長１．３μｍへ波長変換された信号を受信する。【００１０】
また、従来の波長変換装置の構成では、上り信号と下り信号は、アクセス区間では双方向とも波長１．３μｍが用いられ、延伸化区間では双方向とも波長λｉが用いられている。そのため、上り信号と下り信号の合分波には３ｄＢカプラが適用されている。【００１１】
さらに、上り信号と下り信号とは、波長変換器の中において、お互いに別々に再生中継され、上り信号と下り信号は、基本的には相互に影響し合うことはない。【００１２】
このように、特許文献１における波長変換装置、ＭＵＸ／ＤＥＭＵＸ装置を適用することにより、従来の局側装置〜加入者側装置間のアクセス区間に加え、局側装置〜波長変換装置区間を延伸化区間として伝送距離を長距離化することができる。【００１３】
【特許文献１】特開２００２−２６１６９７号公報
【発明の開示】
【発明が解決しようとする課題】
【００１４】
しかしながら、従来技術には次のような課題がある。
現在光加入者システムとして広く用いられているＧＥ−ＰＯＮシステム（Ｇｉｇａｂｉｔ  Ｅｔｈｅｒｎｅｔ（登録商標）  Ｐａａｓｉｖｅ  Ｏｐｔｉｃａｌ  Ｎｅｔｗｏｒｋ）では、上り光信号として波長１．３μｍ、下り光信号として波長１．４９μｍが用いられている。このため、上り信号と下り信号の合分波に３ｄＢカプラを適用した従来の構成は、そのままではＧＥ−ＰＯＮシステムに適用できない。【００１５】
さらに、従来の構成では、延伸化区間に用いている波長λｉがそのまま局側装置に入力され、また局側装置から出力されている。従って、延伸化区間に用いている波長λｉは、延伸化技術を適用しない場合の波長１．３μｍとは異なる。このため、波長変換装置などの延伸化技術を適用する場合には、既にインストール済みの局側装置を波長λｉに対応した装置に置き換える必要がある。【００１６】
また、従来の波長変換装置の詳細構成においては、バースト伝送される上り光信号の２Ｒまたは３Ｒ再生時に、基準となるバースト発出の時刻情報を用いていない。このため、アクセス区間でのジッタやパルス幅歪などが累積され、システム全体の伝送効率などのパフォーマンスが、波長変換装置を適用しない場合と比較して低下してしまうという問題点がある。【００１７】
本発明は上述のような課題を解決するためになされたもので、加入者側装置および局側装置で使用されている上り光信号および下り光信号の波長を変更することなく、両装置間の延伸化を可能とするポイント−マルチポイント光通信システムを得ることを目的とする。
【課題を解決するための手段】
【００１８】
本発明に係るポイント−マルチポイント光通信システムは、局側波長合分波器、光ファイバ伝送路、および加入者側波長合分波器を介した光ネットワークにより１台の局側装置と複数ｎ（ｎは、２以上の整数）台の加入者側装置とが接続され、１台の局側装置および複数ｎ台の加入者側装置のそれぞれが時分割多重または波長多重にて光信号を光ネットワークに出力する光通信システムを基本構成として、ｍ（ｍは、２以上の整数）台の局側装置に対応してそれぞれ複数ｎ1〜ｎm（ｎ1〜ｎmは、２以上の整数）台の加入者側装置が接続されたｍ個の基本構成を適用し、かつ、ｍ個の基本構成に対して１台の局側波長合分波器、１本の光ファイバ伝送路、および１台の加入者側波長合分波器による共有化を図ったポイント−マルチポイント光通信システムであって、ｎ1〜ｎm台の加入者側装置と加入者側波長合分波器との間にそれぞれの基本構成ごとに設けられ、ｎ1〜ｎm台の加入者側装置に共通に割り付けられた第１の波長を有する上り光信号を、基本構成ごとにあらかじめ割り当てられた波長を有する上り光信号に波長変換するとともに、加入者側波長合分波器により抽出された基本構成ごとにあらかじめ割り当てられた波長を有する下り光信号を、ｎ1〜ｎm台の加入者側装置に共通に割り付けられた第２の波長を有する下り光信号に波長変換するｍ台の加入者側波長変換装置と、ｍ台の局側装置と局側波長合分波器との間にそれぞれの基本構成ごとに設けられ、局側波長合分波器により抽出された基本構成ごとにあらかじめ割り当てられた波長を有する上り光信号を、第１の波長を有する上り光信号に波長変換するとともに、第２の波長を有する下り光信号を、基本構成ごとにあらかじめ割り当てられた波長を有する下り光信号に波長変換するｍ台の局側波長変換装置とをさらに備えるものである。
【発明の効果】
【００１９】
本発明によれば、１台の波長合分波器と複数の波長変換装置で構成される中継部を、局側装置サイドと加入者側装置サイドの両方に配置し、延伸化区間に設けられた光ファイバ伝送路を介して波長多重光信号の送受信を行うことにより、加入者側装置および局側装置で使用されている上り光信号および下り光信号の波長を変更することなく、両装置間の延伸化を可能とするポイント−マルチポイント光通信システムを得ることができる。
【図面の簡単な説明】
【００２０】
【図１】本発明の実施の形態１におけるポイント−マルチポイント光通信システムの構成図である。
【図２】本発明の実施の形態２におけるポイント−マルチポイント光通信システムに適用する加入者側中継部内の波長変換装置の詳細構成図である。
【図３】本発明の実施の形態２において、下り光信号のバースト発出タイミングの時刻情報を用いないで電気信号再生を行った場合のバースト光信号の様子を示した図である。
【図４】本発明の実施の形態２において、下り光信号のバースト発出タイミングの時刻情報を抽出して電気信号再生を行った場合のバースト光信号の様子を示した図である。
【発明を実施するための最良の形態】
【００２１】
以下、本発明のポイント−マルチポイント光通信システムの好適な実施の形態につき図面を用いて説明する。【００２２】
実施の形態１．
図１は、本発明の実施の形態１におけるポイント−マルチポイント光通信システムの構成図である。この図１のポイント−マルチポイント光通信システムは、ｍ（ｍは、２以上の整数）台の局側装置１（１）〜１（ｍ）、ｍ本の光ファイバ２（１）〜２（ｍ）、ｍ個のスターカプラ３（１）〜３（ｍ）、ｉ（ｉは、１以上ｍ以下の整数）番目のスターカプラ３（ｉ）に接続されたｎi（ｎiは、２以上の整数）台の加入者側装置４（ｉ、１）〜４（ｉ、ｎi）、加入者側中継部１０、局側中継部２０、および光ファイバ伝送路３０で構成される。【００２３】
また、中間局側に相当する加入者側中継部１０は、ｍ台の波長変換装置１１（１）〜１１（ｍ）、および１台の波長合分波器１２を備えている。同様に、局側中継部２０は、ｍ台の波長変換装置２１（１）〜１１（ｍ）、および１台の波長合分波器２２を備えている。【００２４】
ここで、加入者側中継部１０内に設けられたｍ台の波長変換装置１１（１）〜１１（ｍ）は、加入者側波長変換装置に相当し、１台の波長合分波器１２は、加入者側波長合分波器に相当する。また、局側中継部２０内に設けられたｍ台の波長変換装置２１（１）〜２１（ｍ）は、局側波長変換装置に相当し、１台の波長合分波器２２は、局側波長合分波器に相当する。【００２５】
このように、図１に示したポイント−マルチポイント光通信システムは、ｉ番目における１台の局側装置１（ｉ）と、それに対応するスターカプラ３（ｉ）に接続された複数ｎi台の加入者側装置４（ｉ、１）〜４（ｉ、ｎi）とで構成される基本構成光通信システムを、ｍセット分備えた構成を有している。【００２６】
さらに、この図１の構成においては、１台の波長合分波器１２、１台の波長合分波器２２、および波長合分波器１２と波長合分波器２２とを間に設けられた共通の光ファイバ伝送路３０を介して、加入者側中継部１０と局側中継部２０とが接続されている。【００２７】
すなわち、複数ｎi台の加入者側装置４（ｉ、１）〜４（ｉ、ｎi）が接続されたスターカプラ３（ｉ）と、波長変換装置１１（ｉ）との間のアクセス区間は、光ファイバ２（ｉ）で接続されている。一方、波長合分波器１２と波長合分波器２２との間の延伸化区間は、共通の光ファイバ伝送路３０で接続されている。【００２８】
そして、この延伸化区間の光ファイバ伝送路３０においては、波長多重技術を適用することにより、波長合分波器１２と波長合分波器２２との間を一本のファイバで多重化している。【００２９】
次に、図１の構成を有するポイント−マルチポイント光通信システムの動作について説明する。まず始めに、上り光信号について、説明する。スターカプラ３（ｉ）に接続された加入者側装置４（ｉ、１）〜４（ｉ、ｎi）のいずれかから、波長１．３μｍの上り光信号が送信される。ここで、波長１．３μｍは、上り信号の波長として、全ての局側装置１および全ての加入者側装置４に共通に割り付けられた第１の波長に相当する。【００３０】
中間局側の波長変換装置１１（ｉ）は、波長１．３μｍの上り光信号を、光電気変換、電気信号再生、電気光変換、および波長変換する。波長変換装置１１（ｉ）は、波長変換の際に、延伸化区間にて波長多重技術の適用による波長多重伝送を適用するために、波長１．３μｍから波長λ（ｉＵ）へ変換する。ここで、『Ｕ』は、上り方向のＵＰの意味を表す。【００３１】
波長合分波器１２は、ｍ台の波長変換装置１１（１）〜１１（ｍ）により波長変換された波長λ（１Ｕ）〜波長λ（ｍＵ）の光信号を波長多重し、延伸化区間の光ファイバ伝送路３０へ波長多重光を送出する。ここで、波長多重を行う波長λ（１Ｕ）〜波長λ（ｍＵ）の波長間隔は、ＣＷＤＭ（Ｃｏａｒｓｅ  ＷＤＭ）の波長グリッドとしてもよいし、ＤＷＤＭ（Ｄｅｎｓｅ  ＷＤＭ）の波長グリッドとしてもよい。【００３２】
局側中継部２０内の波長合分波器２２は、波長多重光から波長λ（ｉＵ）の光信号を分離し、ｉ番目の波長変換装置２１（ｉ）に送出する。そして、ｉ番目の波長変換装置２１（ｉ）は、波長λ（ｉＵ）の光信号に対して、光電気変換、電気信号再生、電気光変換、および波長変換を施す。この結果、波長λ（ｉＵ）の光信号は、再び波長１．３μｍの光信号へ変換される。【００３３】
上り光信号に対して、上述のような一連の信号処理を施すことにより、延伸化区間においてのみ、波長多重に適した波長λ（ｉＵ）を用いることができる。さらに、、加入者側装置４から出力される光信号、および局側装置１へ入力される光信号は、１．３μｍの波長を用いることができる。この結果、既にインストール済みの既存の局側装置１、加入者側装置４を変更することなく、加入者側中継部１０、局側中継部２０、光ファイバ伝送路３０を追加するだけで、延伸化が実現可能である。【００３４】
一方、下り光信号についても、同様のことが言える。ｉ番目の局側装置１（ｉ）から、波長１．４９μｍの下り光信号が送信される。ここで、波長１．４９μｍは、下り信号の波長として、全ての局側装置１および全ての加入者側装置４に共通に割り付けられた第２の波長に相当する。【００３５】
局側中継部２０内の波長変換装置２１（ｉ）は、波長１．４９μｍの下り光信号を、光電気変換、電気信号再生、電気光変換、および波長変換する。波長変換装置２１（ｉ）は、波長変換の際に、延伸化区間にて波長多重技術の適用による波長多重伝送を適用するために、波長１．４９μｍから波長λ（ｉＤ）へ変換する。ここで、『Ｄ』は、下り方向のＤＯＷＮの意味を表す。【００３６】
波長合分波器２２は、ｍ台の波長変換装置２１（１）〜２１（ｍ）により波長変換された波長λ（１Ｄ）〜波長λ（ｍＤ）の光信号を波長多重し、延伸化区間の光ファイバ伝送路３０へ波長多重光を送出する。ここで、波長多重を行う波長λ（１Ｄ）〜波長λ（ｍＤ）の波長間隔は、ＣＷＤＭ（Ｃｏａｒｓｅ  ＷＤＭ）の波長グリッドとしてもよいし、ＤＷＤＭ（Ｄｅｎｓｅ  ＷＤＭ）の波長グリッドとしてもよい。【００３７】
加入者側中継部１０内の波長合分波器１２は、波長多重信号からλ（ｉＤ）の光信号を分離し、ｉ番目の波長変換装置１１（ｉ）に送出する。そして、ｉ番目の波長変換装置１１（ｉ）は、波長λ（ｉＤ）の光信号に対して、光電気変換、電気信号再生、電気光変換、および波長変換を施す。この結果、波長λ（ｉＤ）の光信号は、再び波長１．４９μｍの光信号へ変換される。【００３８】
下り光信号に対しても、上り光信号と同様に、上述のような一連の信号処理を施すことにより、延伸化区間においてのみ、波長多重に適した波長λ（ｉＤ）を用いることができる。さらに、局側装置１から出力される光信号、および加入者側装置４へ入力される光信号は、１．４９μｍの波長を用いることができる。この結果、既にインストール済みの既存の局側装置１、加入者側装置４を変更することなく、加入者側中継部１０、局側中継部２０、光ファイバ伝送路３０を追加するだけで、延伸化が実現可能である。【００３９】
以上のように、実施の形態１によれば、１台の波長合分波器と複数の波長変換装置で構成される中継部を、局側装置サイドと加入者側装置サイドの両方に配置した構成を有している。この結果、既存のＧＥ−ＰＯＮシステム装置を置き換えることなく、伝送距離の延伸化を可能としたポイント−マルチポイント光通信システムを実現できる。【００４０】
実施の形態２．
本実施の形態２では、波長変換装置内で上り光信号の電気信号再生を行う際に、下り光信号の電気神宝再生時に抽出した時刻情報を用いることにより、上り光信号と下り光信号との同期をとる方法について説明する。【００４１】
図２は、本発明の実施の形態２におけるポイント−マルチポイント光通信システムに適用する加入者側中継部１０内の波長変換装置１１（ｉ）の詳細構成図である。【００４２】
この図２の波長変換装置１１（ｉ）は、上り光信号（波長１．３μｍ）と下り光信号（波長１．４９μｍ）の合分波を行うＷＤＭフィルタ１０１（ｉ）、上り光信号に対する光電気変換部１１０（ｉ）、電気信号再生部１１１（ｉ）、電気光変換部１１２（ｉ）、および下り光信号に対する光電気変換部１２０（ｉ）、電気信号再生部１２１（ｉ）、電気光変換部１２２（ｉ）からで構成される。【００４３】
また、本実施の形態２における波長変換装置１１（ｉ）は、電気信号再生部１２１（ｉ）による下り光信号の処理結果から、上りバースト信号の発出タイミングを制御するための時刻情報を抽出する時刻情報抽出回路１３０（ｉ）をさらに備えている。【００４４】
すなわち、時刻情報抽出回路１３０は、下り光信号を波長変換する際に、下り光信号に含まれる加入者側装置ごとの位相情報を検出し、上り光信号を波長変調する際に、検出した位相情報に基づいて、上り光信号に含まれる加入者側装置ごとの上り光信号の位相を最適化する位相抽出回路に相当する。【００４５】
この時刻情報抽出回路１３０（ｉ）の出力は、上りバースト信号の電気信号再生部１１１（ｉ）へ入力される。そして、電気信号再生部１１１（ｉ）は、時刻情報抽出回路１３０（ｉ）により抽出された時刻情報に基づいて同期処理を行い、上りバースト信号を再生する。【００４６】
このように、下り光信号から時刻情報を抽出して上りバースト信号の再生を行うのは、以下の理由による。すなわち、上りのバースト光信号のそれぞれは、異なる加入者装置から異なる時間に送信されたバースト光信号であるため、たとえぞれぞれのバースト光信号が時間系列上は並んでいたとしても、異なる位相を有しているためである。【００４７】
そこで、下り光信号のバースト発出タイミングの時刻情報を用いない場合と用いた場合における電気信号再生の違いについて、図面を用いて説明する。まず、図３は、本発明の実施の形態２において、下り光信号のバースト発出タイミングの時刻情報を用いないで電気信号再生を行った場合のバースト光信号の様子を示した図である。【００４８】
この図３では、それぞれが異なる３つの加入者側装置から発出された３つのバースト信号２００（ｊ−１）、２００（ｊ）、２００（ｊ＋１）を示している（ただし、ｊは、２以上の整数）。ここでは、３つのバースト信号２００（ｊ−１）、２００（ｊ）、２００（ｊ＋１）のそれぞれは、例えば、ｉ番目のスターカプラ３（ｉ）に接続された３つの加入者側装置４（ｉ、ｊ−１）、４（ｉ、ｊ）４（ｉ、ｊ＋１）から送出された上り光信号であることを示す。また、図３においては、バースト信号とクロックとの位相関係を示すために、バースト信号の立ち上がりのビットを模式的に示している。【００４９】
ここで、３つのバースト信号２００（ｊ−１）、２００（ｊ）、２００（ｊ＋１）は、基本的には異なる加入者側装置４（ｉ、ｊ−１）、４（ｉ、ｊ）４（ｉ、ｊ＋１）が、異なる時刻に発出したものである。そのため、その位相情報に関しては、図３に示すように、全くの無相関である。【００５０】
従って、例えば、連続的なクロックによって信号再生を行った場合には、たとえバースト信号２００（ｊ−１）にとっては最適な位相であったとしても、その他のバースト信号２００（ｊ）、２００（ｊ＋１）にとっては、最適な位相とはならず、ビット誤りが発生する可能性がある。【００５１】
図３では、バースト信号２００（ｊ−１）は、最適位相であるが、バースト信号２００（ｊ）、２００（ｊ＋１）は、最適位相から外れている場合を例示している。このため、バースト信号２００（ｊ）、２００（ｊ＋１）に対する電気信号再生においては、ビット誤りが生じる可能性がある。【００５２】
これに対して、図４は、本発明の実施の形態２において、下り光信号のバースト発出タイミングの時刻情報を抽出して電気信号再生を行った場合のバースト光信号の様子を示した図である。【００５３】
この図４では、先の図３と同様に、それぞれが異なる３つの加入者側装置から発出された３つのバースト信号２００（ｊ−１）、２００（ｊ）、２００（ｊ＋１）を示している。ここでは、３つのバースト信号２００（ｊ−１）、２００（ｊ）、２００（ｊ＋１）のぞれぞれは、例えば、ｉ番目のスターカプラ３（ｉ）に接続された３つの加入者側装置４（ｉ、ｊ−１）、４（ｉ、ｊ）４（ｉ、ｊ＋１）から送出された上り光信号であることを示す。【００５４】
先の図３を用いて説明したように、バースト信号２００（ｊ−１）、２００（ｊ）、２００（ｊ＋１）は、基本的には全くの無相関であり、異なる位相を有している。そこで、時刻情報抽出回路１３０（ｉ）により、下り光信号から抽出したバースト発出タイミングの時刻情報を用いて、同期処理を行う。【００５５】
より具体的には、上り光信号に対する電気信号再生部１１１（ｉ）は、時刻情報抽出回路１３０（ｉ）により抽出された時刻情報を用いて、それぞれのバースト信号の先頭にて、再生回路を初期化する。この結果、クロックと、それぞれのバースト信号２００（ｊ−１）、２００（ｊ）、２００（ｊ＋１）との間の位相が、それぞれのバースト信号にとって最適とすることが可能である。【００５６】
図４の中段に示した３つのバースト信号２０１（ｊ−１）、２０１（ｊ）、２０１（ｊ＋１）は、位相が最適化された状態を示している。このような位相状態の最適化は、例えば、ＧＥ−ＰＯＮにて既に量産適用されているＣＤＲ回路を適用すれば可能である。【００５７】
以上のように、実施の形態２によれば、時刻情報を用いて同期をとることにより、バースト信号の再生においても最適な位相にて電気信号再生することが可能となる。この結果、バースト光信号に特有のジッタやパルス幅歪が蓄積することを抑圧し、システム全体の伝送効率の低下を防ぐことが可能となる。【００５８】
なお、アクセス区間のバースト光信号を、延伸化区間のＷＤＭ光信号に適したデータフォーマットとするために、上り光信号に対する電気信号再生部は、上りバースト信号を連続流の信号に変換する機能を有していることが望ましい。
【図１】
2009011053.tif 000003
【図２】
2009011053.tif 000004
【図３】
2009011053.tif 000005
【図４】
2009011053.tif 000006
【国際調査報告】
2009011053.tif 000007
2009011053.tif 000008
2009011053.tif 000009
2009011053.tif 000010